(57)【特許請求の範囲】
【請求項１】
光ファイバーオーガナイザーのためのベース（７）であって、上記ベースが実質的に平坦でありかつベースの長手方向に延びる１対の長手側方エッジを備え；上記ベース（７）がベースに入ってくる光ファイバーのためのベースの一側上の１個の第１長手エッジ部分に沿う第１通路（８）；およびベースから出て行く光ファイバーのためのベースの反対側上の１個の第２長手エッジ部分に沿う第２通路（９）とを有し；ベースが更に：
（ｉ）複数の第１光ファイバーガイド（10）であってそれらが：
（ａ）ベースの長手方向においてベース（７）の長さに互いに分離されており；
（ｂ）第１通路（８）からベース（７）を横切り第２通路（９）へ向かい延び；かつ
（ｃ）光ファイバーを方向付けるために配置された手段を備えて、光ファイバーが第１通路から最も遠いガイドの端部でベースの面から離れた位置を保ち；かつ
（ii）複数の第２光ファイバーガイド（11）であってそれらが：
（ａ）ベースの長手方向においてベース（７）の長さに沿い互いに分離されており；
（ｂ）第２通路（９）からベース（７）を横切り第１通路（８）へ向かい延び；かつ
（ｃ）光ファイバーを方向付けるために配置された手段を備えて、光ファイバーが第２通路から最も遠いガイドの端部でベースの面から離れた位置を保ち、これらを有していることを特徴とするベース。
【請求項２】
請求項１に記載のベース（７）であって、上記第１および第２ガイド（10、11）の上記手段（12）が光ファイバーをベース（７）の面から離し上記第１および第２ガイド（10、11）の斜路（12）内で終わらせるように方向付け配置されており、上記斜路は光ファイバーの少なくとも限界湾曲半径と等しい最低湾曲半径を有している、ベース。
【請求項３】
請求項１または２に記載のベース（７）であって、第１および第２ガイド、（10、11）が交互に配置されている、ベース。
【請求項４】
請求項３に記載のベース（７）であって、上記第１および第２ガイド（10、11）は上記第１ガイド（10）を上記第２ガイド（11）から分離する壁（13）により夫々区画されている、ベース。
【請求項５】
前記請求項の何れかに記載のベース（７）であって、上記第１および第２ガイド（10、11）は上記第１および第２通路（８、９）内に夫々少なくとも光ファイバーの限界湾曲半径に等しい最小湾曲半径で湾曲（16）している、ベース。
【請求項６】
前記請求項の何れかに記載のベース（７）であって、第１および第２ガイド（10、11）がその中に光ファイバーを保持するための手段（17）を備えている、ベース。
【請求項７】
前記請求項の何れかに記載のベース（７）であって、更にガイド（10、11）を覆い得るプレート（19）を備え、これにより光ファイバーをガイド（10、11）内に保持し、しかし光ファイバーのガイド（10、11）の内外への長手方向の動きは許容するようにした、ベース。
【請求項８】
請求項７に記載のベース（７）であって、プレートがその中に通路（20）を備え、その通路を通して光ファイバーが上記第１および第２ガイド（10、11）によりベース（７）の面から離れる方向へ通り得るようにされた、ベース。
【請求項９】
前記請求項の何れかに記載のベース（７）であって、１個またはそれより多い光ファイバーオーガナイザートレイ（23）の位置を定めるための位置決め手段（22）を備えている、ベース。
【請求項１０】
請求項７または８に記載のベース（７）であって、その中でプレート（19）がオーガナイザートレイ（23）の位置決めのための位置決め手段（22）を備えている、ベース。
【請求項１１】
請求項９または10に記載のベース（７）であって、その中で位置決め手段（22）は複数のトレイ（23）が互いに隣接して枢着されることを許容している、ベース。
【請求項１２】
前記請求項の何れかに記載のベース（７）であって、第３ガイド（28）を備え、この第３ガイドは光ファイバーをベースに沿うベースのひとつの長手方向位置での上記一側部からベースに沿うベースの複数の長手方向位置の何れかの上記反対側部へ方向付け得るようにした、ベース。
【請求項１３】
請求項１ないし11の何れかに記載のベース（７）であって第３ガイド（28）を備え、この第３ガイドは光ファイバーをベースに沿うベースのひとつの長手方向位置での上記一側部からベースに沿うベースの複数の長手方向位置の何れかの上記反対側部へ方向付け得るようし、第３ガイド（28）がプレート（19）および／または位置決め手段（22）により備えられている、ベース。
【請求項１４】
光ファイバーオーガナイザーであって：
（ｉ）請求項１〜７の何れかに記載のベース（７）；
（ii）ベースの長さに沿い互いに分離した複数の光ファイバーオーガナイザートレイの位置決めのための位置決め手段（22）；
（iii）位置決め手段（22）により配置された複数の光ファイバーオーガナイザートレイ（23）；
（iv）光ファイバーをオーガナイザートレイ（23）のベースに沿う長手位置に対応する長手位置でベース（７）のベースに沿う一側部から他のオーガナイザートレイ（23）に対応するベースに沿う他の長手位置の何れかのベースの反対側部へ方向付ける第３ガイドとを有する、光ファイバーオーガナイザー。
【請求項１５】
請求項14に記載のオーガナイザーであって、更に：
（ｖ）第１および第２ガイドを覆うことができるプレートであって、これにより光ファイバーをガイド（10、11）内に保持し、かつその上に位置決め手段（22）が配置されて第３ガイド（28）がプレート（19）および位置決め手段（22）の間を走るようにしたプレートを有している、オーガナイザー。
【請求項１６】
請求項14または15に記載のオーガナイザーであって、予め内蔵された光ファイバーが第１の上記オーガナイザートレイ（23）から上記第３ガイド（28）のひとつを経て第２の上記オーガナイザートレイ（23）へ走り、そこで第２オーガナイザートレイ（23）から別の上記第３ガイド（28）を経て第３の上記オーガナイザートレイ（23）へ走る別の予め内蔵された光ファイバーに対して接続されるようにした、オーガナイザー。
【請求項１７】
請求項14または15に記載のオーガナイザーであって、予め内蔵された光ファイバーが第１の上記オーガナイザートレイ（23）から上記第３ガイドのひとつを経て第２の上記オーガナイザートレイへ走り、そこで光スプリッターに接続され、その光スプリッターは複数の予め内蔵された光ファイバーに接続され、各光ファイバーは第２オーガナイザートレイから別の対応する上記第３ガイドを経て第３の対応する上記オーガナイザートレイのひとつへと走るようにした、オーガナイザー。
【請求項１８】
光ファイバーオーガナイザーであって：
（ｉ）請求項１から７の何れかに記載のベース；
（ii）プレート（19）であってそのプレートをベース上にファイバーの第１および第２ガイド内への長手方向移動を許容するように取り外し可能に固着するための手段（20）を備えているプレート；
（iii）プレートを覆う位置決め手段（22）であってプレート（19）の長さに沿いプレートの長手方向に互いに分離されている複数の光ファイバーオーガナイザートレイ（23）の配置のための位置決め手段；
（iv）位置決め手段（22）により配置された複数のオーガナイザートレイ（23）；および
（ｖ）第３ガイド（28）であってプレート（19）および位置決め手段（22）の間を光ファイバー方向付けのために１またはそれより多い方向へ走って光ファイバーをベース上に配置されたひとつのオーガナイザートレイ（23）の長手位置に対応するひとつの長手位置でベース（７）の一側部から他のオーガナイザートレイ（23）に対応する複数の他の長手位置の何れかのベースの反対側部へ方向付ける第３ガイド
を有している、オーガナイザー。
【請求項１９】
請求項16〜18の何れかに記載のオーガナイザーであって、予め内蔵された光ファイバーが第１の上記オーガナイザートレイ（23）から上記第３ガイド（28）のひとつを経て第２の上記オーガナイザートレイ（23）へ走り、そこで第２オーガナイザートレイ（23）から別の上記第３ガイド（28）を経て第３の上記オーガナイザートレイ（23）へ走る別の予め内蔵された光ファイバーに対して接続されるようにした、オーガナイザー。
【発明の詳細な説明】
本発明は光ファイバーネットワークで使用する為の各種の構成要素に関し、特に光ファイバーと共に装備されるファイバー配線及びモジュール構成要素に関する。
光ファイバーネットワークは、ファイバースプライス及びファイバースプリッター等の間に精密なファイバー配線及び貯蔵を含む複雑な構造を備えることができる。光ファイバーの結合と分離は複雑で長時間が掛かり清浄な環境を必要とするので、屋外で行なうと、光ファイバーネットワークの設置に多大のコストと時間が掛かる。
更に別の問題は、多くの光ファイバーネットワークがファイバーオーガニジェーション（構造）を要する多くの異なる点を有することである。例えば、ファイバーは１個の交換器で終らなければならず、サブスクライバーで終らなければならず、光ファイバーケーブルの長さの間で結合されなければならず、リングネットワーク等からスパーポイントで結合されなければならず、交換品からの各ファイバーは多くのサブスクライバーの為に情報を運ばなければならない為に分割しなければならないからである。
もし使用場合のそれぞれの為にオーガナイザーや他の構成要素が別仕立てであるとコストは高くなる。従って我々は基本的にモジュラーシステムを開発し、特に内蔵を許し、これにより屋外で行なわなければならない組立て作業を減した。
我々は流入及び流出ケーブルからのファイバーを配線することのできるベースを開発し、又それに可動に装着可能なオーガナイザーモジュールを開発した。
かくして、本発明が提供する物は、次の構成を備えた光ファイバー構造の為のベースである：
流入ファイバーの為の長手方向に沿う端縁部分の第１通路；
流出ファイバーの為の反対側の長手方向に沿う端縁部分の第２通路；
ベースの長さに沿い第１通路からベースを横切り第２通路へ向い延び互いに区画された多数の第１ファイバーガイドであって上記ガイド中のファイバーはベースの面から離れる方向に向いている；
ベースの長さに沿い第２通路からベースを横切り第１通路へ向い延び互いに区画された多数の第ファイバーガイドであって上記ガイド中のファイバーはベースの面から離れる方向に向いている。
又本発明が提供する物は、次の構成を有する光ファイバーオーガナイザーモジュールである：
（１）１個のプレート；
（２）プレートを覆う手段であって、プレートの長手方向に沿い互いに分離した多数の光ファイバーオーガナイザートレイの位置を定める；
（３）手段（２）により配置された多数のオーガナイザートレイ；
（４）プレート（１）と手段（２）の間を走るガイドであって、ファイバーを１個のオーガナイザートレイに対応する長さ位置でプレートの一側から方向付け、他のオーガナイザートレイに対応する多数の長さ位置でベースの反対側で方向付ける。
更に本発明が提供する物は、次の構成を備え、１個の流入ファイバーと多数の流出ファイバーの間の結合が可能な光ファイバーを内蔵したモジュールである：
（１）１個の流入オーガナイザートレイ；
（２）１個のスプリッターオーガナイザートレイ；
（３）スプリッタートレイ内に配置された１個のスプリッター；
（４）多数のオーガナイザー流出トレイ；
（５）流入トレイとスプリッターの入口との間に内蔵された１個のファイバー；
（６）スプリッターの出口と流出トレイとの間に内蔵されたファイバー。
ベースの各ガイドは好ましくは少なくともファイバーの限界湾曲半径に等しい。最小湾曲半径を有する斜路で終っており、又これらのガイドは好ましくは互いに指状で、好ましくは第１ガイドを第２ガイドから区画する壁により区画されている。
第１、第２ガイドによりベースの面から離れるように方向付けられたファイバーはベースの上に位置する光ファイバーオーガナイザートレイにより一般的には受け入れられる。与えられたいずれのトレイのベースの両側からのファイバーを受け入れ得ることが好ましいし、これを達成する為に各トレイが一般には独立に可動ではないので、我々は第１、第２ガイドがベースの長さに沿い実質的に等しい距離で終ることを好ましく思う。これは、もし第１ガイドがベースに沿いその一端に向い湾曲するか、又は第１ガイドがベースに沿いその一端に向い湾曲し、第２ガイドがベースに沿いその他端に向い湾曲し、第１、第２ガイドの対がベースの長さに沿い実質的に等しい間隔でベースの面から離すように方向付けることにより達成される。
当初ベースの長さと平行に延びる流入ファイバーが過度に湾曲しないように、第１、第２ガイドが第１、第２通路内にそれぞれ少なくともファイバーの限界湾曲半径に等しい最小湾曲半径で湾曲するのが好ましい。ファイバーは普通ファイバー管内に備えられ、ファイバー管は好ましくは第１、第２通路の端部又は他の部分、付随的にはそれらの湾曲部分で終っている。第１、第２ガイドはそのようなファイバー管を保持する為の手段を持つことができ、この手段は好ましくはガイド内の突起又は干渉フィットを確保しうる手段を備えている。
ベースは好ましくは更に１個のプレート（普通は実質的にシート形であり、しかし格子を含むことができる）を備え、ガイドの上を覆い、これによりファイバーがガイドから横に移動することを防ぎ、しかしファイバーがガイド内で内外に長手方向に動くことを許容する。このように、プレートを装着することができ、ファイバーはガイド内に挿入される。もしもプレートがガイドの端部を覆わなければ、ファイバー管をそのような端部に長手方向の摺動よりもむしろ内部加圧フィットいにより挿入することができる。プレートは好ましくはベースに対して可動に装着することができ、例えばベースから一連のデテントが突出しプレートの孔に係合する。
プレートは好ましくはその中に通路を備え、それは好ましくは貫通した孔であり、それを通してファイバーが通過し、第１、第２ガイドによりベースの面から離れるように方向付けられる。これらの通路又は孔は好ましくは少なくともファイバーの限界湾曲半径に等しい最小湾曲半径を持ち、好ましくはプレートの面から上方へ湾曲している。
プレート、又はベースの他の部分は１又はそれより多い光ファイバーオーガナイザートレイの取付け手段を備えている。そのような取付け手段は好ましくは多数のトレイを隣接してプレートの頂部に枢着する。取付け手段は好ましくはプレートの頂部に接着され又は半永久的に又は永久的に固着される。位置を定める手段とトレイと共にプレートは工場で光ファイバーと共に予め組立てられ、光ファイバーは１個のプレート上で１個のスプリッターを一連の他のプレートに接続し、かくして１個のオーガナイザーモジュールを形成する。このモジュールは屋外でベースにスナップフィットすることができ、屋外の組立て時間が節約される。
各種トレイ間のファイバー配線は適当な方法で可能であるが、我々が推奨するのはベースが第３のガイドを備え、この第３のガイドはファイバーをベースの一側の１個の長手方向部分でベースの他側の多数の長手方向部分に方向付けることができる。これらの第３のガイドは好ましくはプレートにより及び／又はトレイの位置を定める手段により設けられる。
本発明は添付図面に関連して更に解説されており、図中：
図１及び図２は従来の光ファイバー機構を示しており；
図3A〜Ｃは光ファイバー機構の為のベースを示しており；
図４はプレート、トレイの位置決め手段及び一連のトレイを示している；
図５はプレートを示している；
図６〜８は位置決め手段を示している；
図9A〜Ｃはオーガナイザートレイを示している；
図10は本発明の構成要素を内部で使用し得る容器を示している。
図１はEP0159857（レイケム）で開示されている従来の光ファイバー機構を示している。それは１個のベース１とドーム形カバー２とを備え、ベースはその一側に光ファイバーケーブルの為の各種の入口３を、又他側のサポート５に取り付けたオーガナイザートレイ４を有している。図示の構造ではファイバー配線の選択の可能性が少なく、ファイバーの事前組込みの可能性が少ない。
US4373776（ノーザン  テレコム  リミテド）に開示されている図２の構造は同様な不具合を備えている。この構造は１個の箱の中のベース５上に装着された一連の光ファイバーオーガナイザートレイ４を備えている。箱の一端に１個の入口ポート３が備えられ、これは長手通路６に連通し、通路に沿いファイバーはトレイ４に到達することができる。流入と流出のファイバーの間の接続はトレイで確保される。湾曲半径制御の為の特別な機構も、ファイバーがオーガナイザーを幅方向に横切る通路もあるように見えない。
図3A、3B、3Cは本発明のベース７を示している。ベース７は流入ファイバーの為の一方の長手端縁部に沿う第１通路８と流出ファイバーの為の反対側の長手端縁部に沿う第２通路９を備えている。流入、流出の指示は任意であり、光の方向を指示することは意図されていない。
第１ファイバーガイド10の多数がベースの長さ方向に沿い互いに分離して示されており、ガイドは第１通路８からベースを横切って第２通路９に向い延びている。同様に第２ファイバーガイド11の多数がベースの長さ方向に沿い互いに分離して示されており、ガイドは第２通路９からベースを横切って第１通路８に向い延びている。これらのガイドの僅かばかりが図3Aに示されており、それらは図3Cで拡大して見ることができる。図3Bは図3Aの線AA断面であるのでその図には横向きのガイドの一部のみが見える。
第１、第２ガイド10、11はそれらが保持しているファイバーをベースの面から離れる方向に向け、これは正確な最小湾曲半径の小さい斜路12を設けることにより達成される。
第１、第２ガイド10、11は互いに指状で壁13に区画されているように見え、壁は第１ガイド10を第２ガイド11から区画している。各ガイドはベースに沿い大体位置14、15でベースの反対端部に向い湾曲している（ファイバーが通路８、９からガイドの中に挿入される方向を考慮に入れて）。結果として、斜路12は第１、第２ガイド10、11がベースの長さに沿いファイバーをベースの面から実質的に同じ距離だけ離すように形成されている。
通路８、９を離れてガイド10、11に入ったファイバーが過度に湾曲しないように、ガイドは16で示す通路のように湾曲する。これらの湾曲部分16は突起17を有するように見え、この突起はファイバー管がガイドの中に干渉適合することを助ける。ガイドはその長さの約半分の部分で狭くなっているように見え、ファイバー管は太い部分で終わり、内部に保持しているファイバーがガイドに沿い、斜路を登り、ベースに装着されたオーガナイザートレイ内に入るように構成されている。
図４、５に示されている１個のプレート19はベース７の上に重なることができ、キャッチ18（図3C）がプレート19の孔20の嵌合掛け止められることにより保持される。このプレートはファイバーをガイド10、11内に保持する役割を果たし、一方長手方向の動きは許し、又ファイバーが通過するオーガナイザートレイ23を保持する。
図４はプレート19の他に、光ファイバートレイ23を位置決めする為の手段と一連のトレイ23を示している。孔20がプレート19の中に見え、この孔は図３に示されているベースのスナップ係合子18を受け入れる部分である。これらの孔20はベース７から離れるファイバーが通過する通路の役割も果たす。我々は、事実、斜路12がこれらの孔20から僅かに突出するのが良いと思う。
ベース７に通路８、９の一方を通して入ったファイバーは、従ってガイド10、11に入り、ベースを横切り、斜路12を登り、プレート19の孔20を通してオーガナイザートレイ23に入る。
入力トレイ23Aにこのようにして入ったファイバーは更に別のファイバーに結合されてそのトレイ23Aを離れ、それから分割（スプリッター）トレイ23Bを通り、そこでスプリッターに結合しても良く、スプリッターから出て行くファイバーは出力トレイ23Cに向う。トレイ23Cの一つに入ったファイバーは出て行くファイバーと結合され、プレートの孔20を通してトレイを離れ、斜路を下り、ベースのガイドを横切り、通路８、９の他方を通してベースを離れる。
各種トレイ間でファイバーを配線する好ましい方法が以下の図６〜８に関連して記載されている。入力出力ファイバー機構（ベース７で行われる）がスプリッター、スプライス及びストアループ（プレート19で行われる）からなるファイバー機構から分離しているにも拘らず、かくして複雑なかつ時間を要するスプリッター等の装備は工場で可能である。現場でするべきことの全てはファイバーをガイド10、11を通して通路８、９に挿入し入力出力オーガナイザートレイ23A、23Cへ入れるだけであり、そこではスプリッタートレイに既に接続されている既設ファイバーに結合されている。
図5A、5B、5Cはプレート19のそれぞれ平面図、端面図、斜視図である。
図６〜８はオーガナイザーをプレート19上に設置する手段22を示している。
手段22の孔のような手段24を備え、光ファイバーオーガナイザートレイ23のピボットピン31を受け入れる。そのようなピボットピン31はトレイ23のベースからの突起により支持され、突起はキャッチ25の背後に係合してトレイの不用意な移動を阻止する。手段22は２個の部品、即ち図６で見ることのできる上部品と図7A、7Bに示されている底部部品に成型されると好都合である。図7Aで示される部品はサポート27を備え、このサポートは上部部品のベースの孔を貫通し、オーガナイザートレイ23のピボットピン31の為の支持を与える。手段22の裏側は図7Bに示されており、光ファイバーが１個のトレイ23から別のトレイへと通過するガイド28、29を示している。手段22はプレート19（図４、５）の上面に接着される。図7Bのランドの頂面はプレートの面に接触しかつ接着され、ガイド28、29内にあるファイバーに損傷を与えることはない。好ましくはファイバーはこれらのガイドの中に接着工程前に配置される。一つのオーガナイザートレイ23から別のトレイに走るファイバーはガイド28に一側（図7Bの下左又は上右サイド）から入り、必要幅の主要ガイド29を通過した後、反対側のガイド28から離れて手段22を通過する。図7B内の仮想線はファイバーのサンプル通路である。
多数の手段22が図８に示すようにプレートの端から端へと配置され、ガイドのパターンは繰り返され、プレートに沿い配置された２個のトレイ23間の配線が可能となっている。
プレート上における手段22の正確な位置決めを確保し最適位置への接着を確保する為、手段22とプレートに隆起30が設けられる。
図9A、9B、9Cは光ファイバーオーガナイザートレイの各種の構造を示している。オーガナイザートレイのベースからの突起によるピボットピン31を見ることができる。各トレイは各種の湾曲した壁32とキャッチ33とを備えてファイバーをトレイ23内に保持するようにしている。凹部又は突起34が設けられてファイバースプライス又はファイバースプリッターを配置することができる。
図10は結合容器36の一部を除去した図面で、本発明の各種の構成物を収容しかつ遮蔽する。この容器はベース37とドーム形カバー38を備えている。ベース37は各種の円形ポート39と１個の楕円形ポート40とを備えている。ベースには１個のフレーム又は他のサポート41が取り付けてあり、それに配線オーガナイザー42が取り付けてある。１個の第２サポート又はフレーム43が備えられ、間隙44によりフレーム又はサポート41と隔てられている。この間隙44は流入、流出ケーブルからのファイバーの輪を貯えることができ、これらのケーブルは容器内では接合されず、従って配線オーガナイザー42をバイパスする。
本発明のベース７は空間35内に配置することができ、その通路８、９には配線オーガナイザー42から離れるファイバーが供給される。好ましくはファイバーを内蔵した本発明のモジュールがベース７上にスナップフィットされ、配線オーガナイザー42から離れた通路８、９内のファイバーに対する結合が行われる。
１個の第２の配線オーガナイザー42、ベース、本発明のモジュールがフレーム又はサポート43の背後に備えられ、従ってこれらは見えない、この２個の配線オーガナイザー42は孔45を通して連結され、従って容器のベース３のどの孔を通して入ってきたファイバーもいずれのオーガナイザートレイを通過することができる。
ケーブルは好ましくは次のようにして容器に供給される。約2mの長さのケーブルの輪が楕円形ポート40内に挿入される。その輪を構成しているファイバーの幾らかは空間44内に単に貯えられ、その他は切断されて配線オーガナイザー42に供給される。ケーブルのこの輪はファイバー光ネットワーク内でリング又はスパーの一部を形成する。輪のファイバーから切断されて接合され又は分割された後に円形ポート39から離れるファイバーはサブスクライバーへ通されるか又は更に別のスパーを形成する為に使用される。リング構造に於いては、ケーブルは交換器の主送信／受信装置から離れ、リングに沿い、交換器のバックアップの送信／受信装置に戻る。輪状のファイバーを容器内で切断することにより生ずる２個の端部は共に交換器へ行き、そして共に新しいスパーを作る為に必要とされ、又はサブスクライバーへ行く。一端はフレーム41上で処理され、他端はフレーム43上で処理される。代わりに、送信ファイバーは一方のフレーム上で処理され、受信ファイバーは他方で処理される。本発明の構成要素はこの融通性を許容する。
疑いを避ける為に注意されるべき点は、本発明では各種の構成要素、組立品、システム、方法を光ファイバーの構成、貯蔵、保護の為に備えていることがある。開示した各種の構成要素のいずれも他の１又はより多くの構成要素と共に使用することができる。
【図３Ｂ】
0003661018.tif 000002
【図５Ｂ】
0003661018.tif 000003
【図１】
0003661018.tif 000004
【図２】
0003661018.tif 000005
【図５Ｃ】
0003661018.tif 000006
【図３Ａ】
0003661018.tif 000007
【図７Ａ】
0003661018.tif 000008
【図３Ｃ】
0003661018.tif 000009
【図４】
0003661018.tif 000010
【図５Ａ】
0003661018.tif 000011
【図６】
0003661018.tif 000012
【図７Ｂ】
0003661018.tif 000013
【図８】
0003661018.tif 000014
【図９Ａ】
0003661018.tif 000015
【図９Ｂ】
0003661018.tif 000016
【図９Ｃ】
0003661018.tif 000017
【図１０】
0003661018.tif 000018